【手続補正書】
【提出日】平成27年8月27日(2015.8.27)
【手続補正１】
【補正対象書類名】特許請求の範囲
【補正対象項目名】全文
【補正方法】変更
【補正の内容】
【特許請求の範囲】
【請求項１】
物体側から順に、正の屈折力を持つ第１レンズ群と、正の屈折力を持つ第２レンズ群と、第３レンズ群と、第４レンズ群と、第５レンズ群と、からなり、
前記第１レンズ群は、平凸レンズと物体側に凹面を向けたメニスカスレンズとが接合された接合レンズと、正の屈折力を持つ単レンズと、を含み、
前記第２レンズ群は、接合レンズからなり、
前記第３レンズ群は、少なくとも１つの接合レンズを含み、
前記第４レンズ群は、像側に凹面を向けたメニスカス形状であり、
前記第５レンズ群は、物体側に凹面を向けた負レンズと、正レンズと、を含み、前記正レンズは前記負レンズから離れた位置に配置され、
以下の条件式（１）を満足することを特徴とする液浸顕微鏡対物レンズ。
１．７≦ｎｄLpG1      （１）
ここで、
ｎｄLpG1は、前記第１レンズ群において最も屈折率が高く、且つ、正の屈折力を持つ単レンズのｄ線に対する屈折率、
である。
【請求項２】
以下の条件式（２）を満足することを特徴とする請求項１に記載の液浸顕微鏡対物レンズ。
９≦Ｄ／ｆ≦１３      （２）
ここで、
Ｄは、物体面から前記液浸顕微鏡対物レンズ最終面までの距離、
ｆは、前記液浸顕微鏡対物レンズ全系の焦点距離、
である。
【請求項３】
以下の条件式（３−１）を満足することを特徴とする請求項２に記載の液浸顕微鏡対物レンズ。
０．２８≦|ＲceG1／ｆ|≦０．７      （３−１）
ここで、
ＲceG1は、前記第１レンズ群の接合レンズの接合面における曲率半径、
ｆは、前記液浸顕微鏡対物レンズ全系の焦点距離、
である。
【請求項４】
以下の条件式（４）を満足することを特徴とする請求項３に記載の液浸顕微鏡対物レンズ。
０．７２≦ＨG5／ＨG2≦０．９      （４）
ここで、
ＨG2は、前記第２レンズ群から射出する軸上マージナル光線の光線高、
ＨG5は、前記第５レンズ群から射出する軸上マージナル光線の光線高、
である。
【請求項５】
以下の条件式（５）を満足することを特徴とする請求４に記載の液浸顕微鏡対物レンズ。
０．７≦ＨG4／ＨG2≦０．９      （５）
ここで、
ＨG2は、前記第２レンズ群から射出する軸上マージナル光線の光線高、
ＨG4は、前記第４レンズ群に入射する軸上マージナル光線の光線高、
である。
【請求項６】
前記第３レンズ群は光軸方向に移動可能であり、
以下の条件式（９）を満足することを特徴とする請求項５に記載の液浸顕微鏡対物レンズ。
|ｆG3／ｆ|≦１５０      （９）
ここで、
ｆG3は、前記第３レンズ群の焦点距離、
ｆは、前記液浸顕微鏡対物レンズ全系の焦点距離、
である。
【請求項７】
物体側から順に、正の屈折力を持つ第１レンズ群と、正の屈折力を持つ第２レンズ群と、第３レンズ群と、第４レンズ群と、第５レンズ群と、からなり、
前記第１レンズ群は、平凸レンズと物体側に凹面を向けたメニスカスレンズとが接合された接合レンズと、正の屈折力を持つ単レンズと、を含み、
前記第２レンズ群は、接合レンズからなり、
前記第３レンズ群は、少なくとも１つの接合レンズを含み、
前記第４レンズ群は、像側に凹面を向けたメニスカス形状であり、
前記第５レンズ群は、物体側に凹面を向けた負レンズと、正レンズと、を含み、
以下の条件式（１）、（２）、（３−１）を満足することを特徴とする液浸顕微鏡対物レンズ。
１．７≦ｎｄLpG1      （１）
９≦Ｄ／ｆ≦１３      （２）
０．２８≦|ＲceG1／ｆ|≦０．７      （３−１）
ここで、
ｎｄLpG1は、前記第１レンズ群において最も屈折率が高く、且つ、正の屈折力を持つ単レンズのｄ線に対する屈折率、
Ｄは、物体面から前記液浸顕微鏡対物レンズ最終面までの距離、
ｆは、前記液浸顕微鏡対物レンズ全系の焦点距離、
ＲceG1は、前記第１レンズ群の接合レンズの接合面における曲率半径、
である。
【請求項８】
物体側から順に、正の屈折力を持つ第１レンズ群と、正の屈折力を持つ第２レンズ群と、第３レンズ群と、第４レンズ群と、第５レンズ群と、からなり、
前記第１レンズ群は、平凸レンズと物体側に凹面を向けたメニスカスレンズとが接合された接合レンズと、正の屈折力を持つ単レンズと、を含み、
前記第２レンズ群は、接合レンズからなり、
前記第３レンズ群は、少なくとも１つの接合レンズを含み、
前記第４レンズ群は、像側に凹面を向けたメニスカス形状であり、
前記第５レンズ群は、物体側に凹面を向けた負レンズと、正レンズと、を含み、
以下の条件式（２）、（３−１）、（４）を満足することを特徴とする液浸顕微鏡対物レンズ。
９≦Ｄ／ｆ≦１３      （２）
０．２８≦|ＲceG1／ｆ|≦０．７      （３−１）
０．７２≦ＨG5／ＨG2≦０．９      （４）
ここで、
Ｄは、物体面から前記液浸顕微鏡対物レンズ最終面までの距離、
ｆは、前記液浸顕微鏡対物レンズ全系の焦点距離、
ＲceG1は、前記第１レンズ群の接合レンズの接合面における曲率半径、
ＨG2は、前記第２レンズ群から射出する軸上マージナル光線の光線高、
ＨG5は、前記第５レンズ群から射出する軸上マージナル光線の光線高、
である。
【請求項９】
物体側から順に、正の屈折力を持つ第１レンズ群と、正の屈折力を持つ第２レンズ群と、第３レンズ群と、第４レンズ群と、第５レンズ群と、からなり、
前記第１レンズ群は、平凸レンズと物体側に凹面を向けたメニスカスレンズとが接合された接合レンズと、正の屈折力を持つ単レンズと、を含み、
前記第２レンズ群は、接合レンズからなり、
前記第３レンズ群は、少なくとも１つの接合レンズを含み、
前記第４レンズ群は、像側に凹面を向けたメニスカス形状であり、
前記第５レンズ群は、物体側に凹面を向けた負レンズと、正レンズと、を含み、前記正レンズは前記負レンズから離れた位置に配置され、
以下の条件式（３）を満足することを特徴とする液浸顕微鏡対物レンズ。
|ＲceG1／ｆ|≦０．７      （３）
ここで、
ＲceG1は、前記第１レンズ群の接合レンズの接合面における曲率半径、
ｆは、前記液浸顕微鏡対物レンズ全系の焦点距離、
である。
【請求項１０】
光源と、照明光学系と、本体部と、観察光学系と、顕微鏡対物レンズを備える顕微鏡であって、
前記顕微鏡対物レンズに請求項１〜９のいずれか１項に記載の液浸顕微鏡対物レンズが用いられることを特徴とする顕微鏡。
【手続補正２】
【補正対象書類名】明細書
【補正対象項目名】００１５
【補正方法】変更
【補正の内容】
【００１５】
上述した課題を解決し、目的を達成するために、本発明の液浸顕微鏡対物レンズは、本発明の別の液浸顕微鏡対物レンズは、物体側から順に、正の屈折力を持つ第１レンズ群と、正の屈折力を持つ第２レンズ群と、第３レンズ群と、第４レンズ群と、第５レンズ群と、からなり、
第１レンズ群は、平凸レンズと物体側に凹面を向けたメニスカスレンズとが接合された接合レンズと、正の屈折力を持つ単レンズと、を含み、
第２レンズ群は、接合レンズからなり、
第３レンズ群は、少なくとも１つの接合レンズを含み、
第４レンズ群は、像側に凹面を向けたメニスカス形状であり、
第５レンズ群は、物体側に凹面を向けた負レンズと、正レンズと、を含み、正レンズは負レンズから離れた位置に配置され、
以下の条件式（１）を満足することを特徴とする。
１．７≦ｎｄLpG1 （１）
ここで、
ｎｄLpG1は、第１レンズ群において最も屈折率が高く、且つ、正の屈折力を持つ単レンズのｄ線に対する屈折率、
である。
【手続補正３】
【補正対象書類名】明細書
【補正対象項目名】００１６
【補正方法】変更
【補正の内容】
【００１６】
また、物体側から順に、正の屈折力を持つ第１レンズ群と、正の屈折力を持つ第２レンズ群と、第３レンズ群と、第４レンズ群と、第５レンズ群と、からなり、
第１レンズ群は、平凸レンズと物体側に凹面を向けたメニスカスレンズとが接合された接合レンズと、正の屈折力を持つ単レンズと、を含み、
第２レンズ群は、接合レンズからなり、
第３レンズ群は、少なくとも１つの接合レンズを含み、
第４レンズ群は、像側に凹面を向けたメニスカス形状であり、
第５レンズ群は、物体側に凹面を向けた負レンズと、正レンズと、を含み、
以下の条件式（１）、（２）、（３−１）を満足することを特徴とする。
１．７≦ｎｄLpG1 （１）
９≦Ｄ／ｆ≦１３ （２）
０．２８≦|ＲceG1／ｆ|≦０．７ （３−１）
ここで、
ｎｄLpG1は、第１レンズ群において最も屈折率が高く、且つ、正の屈折力を持つ単レンズのｄ線に対する屈折率、
Ｄは、物体面から液浸顕微鏡対物レンズ最終面までの距離、
ｆは、液浸顕微鏡対物レンズ全系の焦点距離、
ＲceG1は、第１レンズ群の接合レンズの接合面における曲率半径、
である。
【手続補正４】
【補正対象書類名】明細書
【補正対象項目名】００１７
【補正方法】変更
【補正の内容】
【００１７】
また、本発明の別の液浸顕微鏡対物レンズは、物体側から順に、正の屈折力を持つ第１レンズ群と、正の屈折力を持つ第２レンズ群と、第３レンズ群と、第４レンズ群と、第５レンズ群と、からなり、
第１レンズ群は、平凸レンズと物体側に凹面を向けたメニスカスレンズとが接合された接合レンズと、正の屈折力を持つ単レンズと、を含み、
第２レンズ群は、接合レンズからなり、
第３レンズ群は、少なくとも１つの接合レンズを含み、
第４レンズ群は、像側に凹面を向けたメニスカス形状であり、
第５レンズ群は、物体側に凹面を向けた負レンズと、正レンズと、を含み、
以下の条件式（２）、（３−１）、（４）を満足することを特徴とする。
９≦Ｄ／ｆ≦１３ （２）
０．２８≦|ＲceG1／ｆ|≦０．７ （３−１）
０．７２≦ＨG5／ＨG2≦０．９ （４）
ここで、
Ｄは、物体面から液浸顕微鏡対物レンズ最終面までの距離、
ｆは、液浸顕微鏡対物レンズ全系の焦点距離、
ＲceG1は、第１レンズ群の接合レンズの接合面における曲率半径、
ＨG2は、第２レンズ群から射出する軸上マージナル光線の光線高、
ＨG5は、第５レンズ群から射出する軸上マージナル光線の光線高、
である。
【手続補正５】
【補正対象書類名】明細書
【補正対象項目名】００１８
【補正方法】変更
【補正の内容】
【００１８】
また、本発明の別の液浸顕微鏡対物レンズは、物体側から順に、正の屈折力を持つ第１レンズ群と、正の屈折力を持つ第２レンズ群と、第３レンズ群と、第４レンズ群と、第５レンズ群と、からなり、
第１レンズ群は、平凸レンズと物体側に凹面を向けたメニスカスレンズとが接合された接合レンズと、正の屈折力を持つ単レンズと、を含み、
第２レンズ群は、接合レンズからなり、
第３レンズ群は、少なくとも１つの接合レンズを含み、
第４レンズ群は、像側に凹面を向けたメニスカス形状であり、
第５レンズ群は、物体側に凹面を向けた負レンズと、正レンズと、を含み、正レンズは負レンズから離れた位置に配置され、
以下の条件式（３）を満足することを特徴とする。
|ＲceG1／ｆ|≦０．７ （３）
ここで、
ＲceG1は、第１レンズ群の接合レンズの接合面における曲率半径、
ｆは、液浸顕微鏡対物レンズ全系の焦点距離、
である。